(57)【要約】      （修正有）【課題】身近にあるテレビやビデオデッキ及びデジタルカメラなどに、それらを制御するボックスを付加して、容易にかつ経済的にカメラ監視システムを構築する。【解決手段】複数台のカメラからの映像の信号切換回路、時刻表示するためのスーパーインポーザー、計数型リモコン学習回路、光通信用送受信回路、及びセンサー信号処理回路等を内蔵し、また間欠撮影時間設定ＳＷや、リモコンデータ入力選択ＳＷ、及びカメラからの映像入力端子、ビデオデッキへの出力並びに入力端子、テレビへの出力端子、侵入感知センサー入力端子等を備えた制御ボックスと、家庭用のテレビ、ビデオデッキ、デジタルカメラ或いはビデオカメラ並びに侵入を検知するセンサー類より家庭用カメラ監視システムを構成する。【選択図】図１
2006186954.tif 000002
【特許請求の範囲】
【請求項１】
ビデオデッキのリモートコントローラーの特定の釦のコマンド信号を記憶し、当該信号によって複数台のカメラの映像信号を、設定時間帯に設定時間間隔で、時刻データとともに順次録画するように、また侵入検知器からの信号があれば、対応するカメラの映像を選択的に録画するように、遠隔制御する家庭用カメラ監視システム。
【発明の詳細な説明】
【発明の詳細な説明】
【産業上の利用分野】
【０００１】  本発明は家庭用テレビ、ビデオデッキ、デジタルカメラ及びビデオカメラ等を用いて、家庭用カメラ監視システムを構築することに関する。
【発明が解決しようとする課題】
【０００２】  従来、家庭でカメラ監視システムを導入しようとすると、モニターテレビ、ビデオデッキ及び、カメラ、ビデオスイッチャーなど一切の機材を揃える必要があった。
これらの機材は通常高価であり、一般家庭においては、投資効果を考慮することで二の足を踏む結果となり、そのことが、結果的に犯罪の抑止力の低減を招いているのが現状である。
本発明は、どこの家庭にもあるテレビやビデオデッキ及びデジタルカメラなどを組み合わせて、容易にかつ経済的にカメラ監視システムを構築することを目的としている。
【問題を解決する手段】
【０００３】  この目的を達成するために、家庭用のテレビ、ビデオデッキ、デジタルカメラ或いはビデオカメラ並びに侵入を検知するセンサー類、そしてこれらを制御する制御ボックスよりなるシステムを構成する。
当該制御ボックスは、カメラの映像切換回路、時刻を表示するためのスーパーインポーザー、計数型リモコン学習回路、光通信用送受信回路、及びセンサー信号処理回路等を内蔵し、また間欠撮影時間設定ＳＷや、リモコンデータ入力選択ＳＷ、及びカメラからの映像入力端子、ビデオデッキへの出力並びに入力端子、テレビへの出力端子、侵入感知センサー入力端子等を具備して成る。
【作用】
【０００４】  上記のように構成されたシステムでは、複数台のカメラからの信号は、制御ボックス内の映像切換回路によって時分割され、ビデオデッキへの映像信号に変換される。
そして、当該制御ボックスの学習モードで学習した、ビデオデッキへの遠隔コマンドによって、カメラの映像信号を録画したり停止させたりするものである。
又、操作設定ＳＷによって、監視時間帯の設定や、間欠撮影時間を設定した場合には、指定された時刻に、指定された間隔で、順次カメラの映像信号を録画する。
更に複数台のカメラのそれぞれに対応させて、侵入検知センサーを設置すれば、外部へ警報を出力すると同時に、センサーの動作があったカメラの映像を、選択的に録画する。
また、スーパーインポーザーにより、録画画像に年月日時分を写し込む作用をする。
一般にビデオデッキへのリモートコントローラーの信号は各社まちまちであるが、当該計数型リモコン学習回路により、頻繁にビデオデッキを交換する場合であっても、容易にシステムを再構築させるように働く。
【実施例】
【０００５】  以下、実施例について図面に基づいて詳細に説明する。
先ず、第１図の家庭用テレビ１に、ビデオデッキ２を通してカメラの映像が映るようにセットする。
次に、第２図のＳＷ２２を設定側にして、ＳＷ２３をリモコン側にセットし、学習モードを設定する。
更に、学習項目選択のＳＷ２４を、目的とする項目にセットして学習ＳＷ２５を押した後、第１図のビデオデッキ２に付属のリモートコントローラー６を、第２図の受光部７に向け、該当する釦を押す。
入力が完了すると、第２図のＳＷ２４で選択されている項目の、文字の下側のランプが点灯するので、操作者はリモートコントローラー６の、当該釦をＯＦＦにする。
このランプはデータが消去されない限り点灯状態を保持する。
このようにして「電源」、「録画」、「停止」、「入力切換」及び「予約録画解除」などの遠隔制御コマンドを学習して行く。
但し、予約録画解除のコマンドはコマンド釦として存在する訳では無く、「電源」釦を押したり、「停止」釦を通常の「停止」操作より時間的に長めに押して、録画動作を停止させたりする。
これらは、各ビデオデッキに固有の操作ではあるけれども、それぞれに応じて「予約録画解除」コマンドとして学習させる。
学習する方式は、第４図の受光素子３５でリモートコントローラーからのデータを受光し、受光／非受光の時間間隔を、１６進４段のカウンター３１．．．で発振器２９のパルスを計数することにより行うものである。
一般に、リモートコントローラーからの信号は光のデータのＯＮ／ＯＦＦ／ＯＮ／ＯＦＦ．．．の連続なので、最初にＯＮになった時、カウンター３１．．．をリセット信号３７でリセットした後、ゲート３０を開いて発振器２９のパルスの計数を開始する。
ＯＦＦになったら、制御信号３６でゲート３０を閉じ、４段のカウンターの値をメモリーに記憶する。
続けて、リセット信号３７でカウンター３１．．．をリセットした後、ゲート３０を開いてパルスを計数し、ＯＦＦの時間を計測して、再びＯＮになった時、ゲート３０を閉じ、その４段のカウンター３１．．．の値をメモリーに記憶した後、リセット信号３７でカウンター３１．．．をリセットする。
この作業を繰り返して、光信号のＯＮ／ＯＦＦ／ＯＮ／ＯＦＦ．．．を数値データとして順次メモリーに記憶して行く。
ビデオデッキのリモートコントローラーは、押釦を押続けている間、同一のコマンドデータを、長いＯＦＦの信号で区切り、連続して送って来るので、入力完了後にデータを修正する場合は、ＯＦＦの期間の最大のものを区切りコードと判断して、１個のコマンドを分離する。
この１個のコマンドを数回乃至１０数回繰り返し送信すれば、ビデオデッキに所定の動作をさせることが出来る。
「予約録画取消」コマンドに関しては、上述した理由により、ビデオデッキの機種に無関係にするために、予め５秒程度の長さを確保しておく必要がある。
発振器２９は、３５〜４０ＫＨｚの赤外線通信用の変調周波数であり、４段のカウンターをカウントアップさせるには約１．６秒を要する。
これはリモートコントローラーのＯＮ／ＯＦＦの信号間隔から判断すると極端に長い時間であり、リモートコントローラーからの信号の途絶を検知するのには充分な長さである。
第４図の赤外線発光ダイオード３４から学習したコマンドをビデオデッキに送信するには、ゲート３２の一方のライン３８に変調周波数のパルス、もう一方のライン３９に制御信号を入力し、ダイオード３４を発光させ、同時にカウンターの動作を開始させる。
メモリーに記憶しているデータと４段のカウンター３１．．．の値が等しくなったら、制御信号３９によって発光を中止し、カウンター３１．．．をリセットし、次の発光ＯＦＦ区間のメモリーの値を読み出して、同時にメモリーのデータと４段のカウンター３１．．．の値が等しくなるまで発光を中止し、カウンターをカウントさせる。
以下、同様にして、発光のＯＮ／ＯＦＦを繰り返してコマンドの全てを送信する。
学習したコマンドを用いて、カメラの映像信号を録画するには、先ずビデオデッキの電源が入っているかどうかの確認が必要であるが、これを解決するには、第５図の映像信号切換ＳＷ５２を、ビデオ制御信号５３により、信号検出側に切り換え、ビデオデッキからの映像信号を同期分離回路５５に通して垂直同期信号を取り出し、この同期信号を再トリーガー可能なタイマー５６に入力する。
タイマーの時定数を、当該同期信号の周期より少し長めに設定すれば、出力はトリガーされている限りＯＮ状態を保持するので、この出力信号をチェックすることで、ビデオデッキの電源のＯＮ／ＯＦＦを知ることが出来る。
次に、カメラが接続されているビデオデッキの入力端子を確認する必要がある。
これは、第４図の３０及び４１のゲートを開き、カウンターを歩進させ、発振器２９の周波数の１／１６のパルスをアンプ４２を通して、カメラが接続されているビデオデッキの音声入力端子に出力する。
更に、ビデオデッキの音声外部出力端子の信号は、第５図の制御信号５３によって、信号切換ＳＷ５１が信号検出側に切り換えられるので、アンプ５４を通った後、以下のようにしてチェックされる。
第６図のＦ１６は第４図のアンプ４２の出力であり、第５図の音声信号切換ＳＷ５１の入力信号でもある。
第４図の信号線４５は発振器２９の周波数を１／８にしたパルスで、第６図のＦ８の動作をする。
Ｆ８はＦ１６の１／２の周期であり、Ｆ１６’はビデオデッキの音声回路を通した時に、位相が１８０度ずれた場合を想定した波形である。
上記のようにすれば、Ｆ８が０から１に変わったときに、Ｆ１６又はＦ１６’の値を数回読取り、周期的にＯＮ／ＯＦＦを繰り返しているかどうかをチェックすれば、第４図のゲート４１を通った信号が正しく戻ってきているかどうかを確認出来、それによって、カメラが接続されているビデオデッキの入力端子を認識することが出来る訳である。
ビデオデッキを通すことによって信号の位相が１８０度変わっても、周期性をチェックするので、全く無関係である。
以上のようにして学習したビデオデッキへのコマンドと、信号検出機能を使用すれば、ビデオデッキがどんな状態であっても、カメラの映像を録画する状態にまで設定することが可能となる。
例えば、第５図の制御信号５３によって信号検出側に切換え、タイマー５６の信号をチェックし、信号がオンならば、ビデオデッキの電源が入っている状態である。
ここで、第３図において、制御ボックスから引き出し、ビデオデッキへの送信が確実となるように、予め位置決めをしておいたインターロック式フレキシブルチューブ２７の先端に取付けられた赤外線発光ダイオード収納カプセル８から、学習した「電源」のコマンドをビデオデッキに送信する。
このとき、タイマー５６の信号がオフにならなければ予約録画中であるので、「予約録画解除」コマンドを赤外線発光ダイオード収納カプセル８から送信し、更にもう一度「電源」のコマンドをビデオデッキに送信すれば、タイマー５６の信号がオフになり、ビデオデッキの電源は切れるのである。
タイマー５６の信号がオフになれば予約録画中では無いと判断されるので、再び「電源」のコマンドをビデオデッキに送信し、タイマー５６の信号がオンとなり、ビデオデッキの電源が入ったことを確認した後、前述したように、第５図のアンプ５４の出力信号が第６図のＦ１６若しくはＦ１６’のように確認出来るかどうかをチェックし、確認できれば、カメラが接続されている外部入力端子が選択されているのであり、確認が出来なければ、出来るまで「入力切換」コマンドを、赤外線発光ダイオード収納カプセル８から送信し、アンプ５４の出力信号をチェックする。
この様にして、カメラの映像を録画可能状態にした後、第５図の制御信号５３をオフにして各信号を元に戻し、第２図の操作パネルで設定された動作モードに従って、ビデオデッキの電源のオン／オフを行い、録画及び停止の動作を繰り返す訳である。
たとえ監視撮影中に突然、予約録画開始状態になっても、５分毎に上述のチェックを繰り返すようにすれば、再びカメラからの映像を録画する。
【発明の効果】
【０００６】  本発明は以上説明したように構成されるので、以下に記載されるような効果を奏する。
家庭用のテレビ、ビデオデッキ及びビデオカメラやデジタルカメラを用いて監視システムを構築するので、非常に経済的であり、複数のカメラの映像を取り込めるので、防犯の強度が向上する。
また、計数学習型であるので、ビデオデッキを交換しても、容易にシステムを復帰できる。
更に、ビデオデッキの電源の状態や入力端子の選択状態を知ることが出来るので、録画ミスの確率は減少する。
間欠撮影の機能によって、市販の１本のテープで数日の録画が可能である。
センサー信号の処理機能を備えているので、侵入者があった場合のみ録画することも出来、警報を出力したり、外部へ通報することも出来る。
更に、マンションなどのドアのドアスコープに、専用のカメラを取り付け、玄関チャイム等のスイッチを当該制御ボックスのセンサー入力部に接続すれば、チャイム釦を押した時、ビデオデッキに録画を開始し、同時にテレビにその画像を映し出すことが出来るので、在宅している場合は不用意にドアを開けなくて済む。
【図面の簡単な説明】
【図１】全体の構成図
【図２】制御ボックス正面図
【図３】制御ボックス側面図
【図４】受発光信号計数回路
【図５】音声及び映像信号検出ブロック図
【図６】音声信号端子検出用タイムチャート
【符号の説明】
１．．．家庭用テレビ、２．．．ビデオデッキ、３．．．カメラ、４．．．侵入検知センサー、５．．．制御ボックス  ６．．．リモートコントローラー、７．．．受光部、  ８．．．発光ダイオード収納カプセル、９．．．音声信号線、１０．．．映像信号線、１１．．．映像信号線、１２．．．音声信号線  ２１．．．間欠撮影時間選択ＳＷ、２２．．．監視−設定モード切換ＳＷ、２３．．．リモコン学習−時計設走切換ＳＷ  ２４．．．学習項目選択ＳＷ、２５．．．学習設定ＳＷ、２６．．．時刻設定ＳＷ  ２７．．．インターロック式フレキシブルチューブ、２９．．．発振回路、３１．．．１６進カウンター、３４．．．赤外線発光ダイオード、３５．．．受光素子、４０．．．入出力ポート、４４．．．発振周波数の１／１６の信号、４５．．．発振周波数の１／８の信号、４２．．．アンプ  ５１．．．音声信号切換ＳＷ、５２．．．映像信号切換ＳＷ、５３．．．信号切換制御線
【図１】
2006186954.tif 000003
【図２】
2006186954.tif 000004
【図３】
2006186954.tif 000005
【図４】
2006186954.tif 000006
【図５】
2006186954.tif 000007
【図６】
2006186954.tif 000008